(57)【要約】【課題】  ろう孔に無理な力が作用しないので、ろう孔の損傷を防ぐことができるとともに胃ろうカテーテルが胃の内部以外に入ることを防ぐことができる胃ろうカテーテル交換のための胃ろうカテーテル導入装置を提供する。【解決手段】  可撓材料から形成され胃ろうカテーテルを内面に沿って案内する案内片４と、剛性材料から形成され円弧部８と円弧部８から半径対向方向外方に延びる一対のストッパー９．９とを有し円弧部８を案内片４の先端部に揺動自在に取り付けたクリップ５と、一端をクリップ５のストッパー９に連結されクリップ５を案内片４に対して揺動させるための作動片６とを有する胃ろうカテーテル案内装置２と、胃ろうカテーテル案内装置２が軸線方向に摺動自在に内装され患者の腹壁および胃壁に造設されたろう孔２２に装着される外筒体３とから構成される。【選択図】  図１
2006239068.tif 000002
【特許請求の範囲】
【請求項１】
可撓材料から形成され胃ろうカテーテルを内面に沿って案内する案内片と、剛性材料から形成され円弧部と円弧部から半径対向方向外方に延びる一対のストッパーとを有し円弧部を案内片の先端部に揺動自在に取り付けたクリップと、一端をクリップのストッパーに連結されクリップを案内片に対して揺動させるための作動片とを有する胃ろうカテーテル案内装置と、
胃ろうカテーテル案内装置が軸線方向に摺動自在に内装され、患者の腹壁および胃壁に造設されたろう孔に装着される外筒体とを備え、
胃ろうカテーテルは、外筒体をろう孔から取り外した後、胃ろうカテーテル案内装置に沿って胃の内部に導入されることを特徴とする胃ろうカテーテル交換のための胃ろうカテーテル導入装置。
【請求項２】
案内片の内面に光を反射する反射面を形成したことを特徴とする請求項１に記載の胃ろうカテーテル交換のための胃ろうカテーテル導入装置。
【請求項３】
外筒体の内面に光を反射する反射面を形成したことを特徴とする請求項２に記載の胃ろうカテーテル交換のための胃ろうカテーテル導入装置。
【請求項４】
案内片の円弧部に近い部位に胃ろうカテーテルが挿通される弾性リングを形成するための弾性部材を配置したことを特徴とする請求項１ないし３のいずれか１項に記載の胃ろうカテーテル交換のための胃ろうカテーテル導入装置。
【請求項５】
胃ろうカテーテルは、バンパー式カテーテルであることを特徴とする請求項１ないし４のいずれか１項に記載の胃ろうカテーテル交換のための胃ろうカテーテル導入装置。
【請求項６】
胃ろうカテーテルは、ボタンカテーテルであることを特徴とする請求項１ないし４のいずれか１項に記載の胃ろうカテーテル交換のための胃ろうカテーテル導入装置。
【発明の詳細な説明】
【技術分野】
【０００１】
本発明は、胃ろうカテーテルの交換時における胃ろう孔の損傷を防ぎかつ胃ろうカテーテルが胃の内部以外に入らないようにした胃ろうカテーテル交換のための胃ろうカテーテル導入装置に関する。
【背景技術】
【０００２】
食物の摂取ができない患者には、経鼻的に胃に栄養チューブを挿入し、栄養液を栄養チューブを通して胃の内部に投与することで患者に対する栄養補給を行なっているが、鼻から栄養チューブを挿入した状態では、患者に対する美的感覚を損ない、栄養チューブによる違和感が強い。
【０００３】
そこで、患者の美的感覚を損なうことなく、栄養チューブの違和感を解消するために、経皮的に胃にカテーテルを挿入し、栄養液をカテーテルを通して胃の内部に投与することで患者に対する栄養補給を行なう処置方法が採用されている。
【０００４】
このような栄養液の投与は、たとえば、経皮内視鏡的胃ろう造設術を用いて患者の腹壁および胃壁にろう孔を形成し、胃ろうカテーテルを体外からろう孔を通して胃の内部に挿入し、栄養液を胃ろうカテーテルを通して胃の内部に送り込むことで行なう。
【０００５】
このような胃ろうカテーテルは、バンパー式カテーテルとバルーン式カテーテルに大別されるが、今日最も多く用いられている胃ろうカテーテルはバンパー式カテーテルである。
【０００６】
一方、患者の栄養液投与に用いた胃ろうカテーテルは、長期間たとえば６ヶ月程度の使用に及ぶと交換することが必要である。胃ろうカテーテルの交換は、バルーン式カテーテルを除けば、内視鏡観察下での交換が一般的である
。
【０００７】
内視鏡によるバンパー式カテーテルの交換は、カテーテル交換の準備段階として、内視鏡を胃内に挿入し、スネア鉗子でカテーテルのバンパー部を把持し、体表でカテーテルをできるだけ短く切断し、スネア鉗子で把持したバンパー部をそのままにして、切断したカテーテルをろう孔から抜き取り、内視鏡でカテーテルが抜去されたろう孔を観察しながら、体表からオブチュレーター（金属棒）をろう孔に差し込み、オブチュレーターが胃内に挿入されたことを確認する。
【０００８】
カテーテルの交換は、胃内に挿入されたオブチュレーターを引き抜き、新しい交換用カテーテルにオブチュレーターをつけ、バンパー部をできるだけ引き延ばして細くしたうえで、交換用カテーテルをろう孔の方向に沿って押し込み、内視鏡により交換用カテーテルのバンパー部が胃内に留置されたことを確認し、スネア鉗子で把持されたバンパー部とともに内視鏡を胃内から抜き取ることで行なう。
【０００９】
胃ろうカテーテルの交換時に用いられる胃ろうカテーテル導入装置は、発明者の知る限りでは現在まで開発れていない。
【発明の開示】
【発明が解決しようとする課題】
【００１０】
しかしながら、内視鏡によるバンパー式カテーテルの交換は、交換用カテーテルを胃の内部に挿入する際に、交換用カテーテルを無理に挿入しようとすると、ろう孔を破壊してしまうことがある。
【００１１】
また、内視鏡によるバンパー式カテーテルの交換は、内視鏡を使用する煩雑さ、内視鏡による患者の負担の増加を生じさせてしまう。
【００１２】
本発明の目的は、前記従来技術の有する問題点を解消し、簡単な操作によりろう孔の損傷を防ぐとともに胃の内部以外に胃ろうカテーテルが入らないようにした胃ろうカテーテル交換のための胃ろうカテーテル導入装置を提供することにある。
【課題を解決するための手段】
【００１３】
本発明による胃ろうカテーテル交換のための胃ろうカテーテル導入装置は、可撓材料から形成され胃ろうカテーテルを内面に沿って案内する案内片と剛性材料から形成され円弧部と円弧部から半径対向方向外方に延びる一対のストッパーとを有し円弧部を案内片の先端部に揺動自在に取り付けたクリップと一端をクリップのストッパーに連結されクリップを案内片に対して揺動させるための作動片とを有する胃ろうカテーテル案内装置と、胃ろうカテーテル案内装置が軸線方向に摺動自在に内装され患者の腹壁および胃壁に造設された胃ろう孔に装着される外筒体とを備えて構成される。
【発明の効果】
【００１４】
本発明によれば、胃ろうカテーテルを外筒体を胃ろうから取り外した後胃ろうカテーテル案内装置に沿って胃の内部に導入するので、胃ろうカテーテル挿入時にろう孔に無理な力が作用せずろう孔の損傷を防ぐことができるとともに、胃ろうカテーテルが胃の内腔以外に入ることを防ぐことができる。
【００１５】
また、本発明によれば、案内片の内面に光を反射する反射面を形成し、光を胃の内部に導くことで、カテーテルを挿入する胃の内部を観察することができる。
【発明を実施するための最良の形態】
【００１６】
以下、本発明による胃ろうカテーテル交換のための胃ろうカテーテル導入装置の一実施形態について、添付の図面を参照しながら説明する。
【００１７】
本発明による胃ろうカテーテル交換のための胃ろうカテーテル導入装置１は、図１および図２に示すように、交換のための図示しない胃ろうカテーテルを案内するための胃ろうカテーテル案内装置２と、胃ろうカテーテル案内装置２が軸線方向に摺動できるように内装される外筒体３とから構成される。
【００１８】
上記胃ろうカテーテル案内装置２は、図２に示すように、可撓材料から形成された案内片４と、剛性材料から形成されたクリップ５と、軟質プラスチック材料の積層フィルムのような可撓材料から形成された作動片６とを有する。
【００１９】
上記案内片４は、軟質プラスチック材料の積層フィルムを細長い矩形状に裁断した矩形片により形成される。積層フィルムは、その一面に銀フォイルのような光を反射する特性を持つ金属層を有する。案内片４は、光を反射する特性を持つ金属層を内側にすることで、内面に光を反射する反射面７を形成している。
【００２０】
上記クリップ５は、硬質プラスチック材料から形成された幅が６ｍｍで長さが１６ｍｍ程度の一体構造であり、ろう孔にスムーズに挿入できる程度の寸法である。クリップ５は、円弧部８と円弧部８から半径対向方向外方に延びる一対のストッパー９，９とを有する。クリップ５の円弧部８は、案内片４の先端部に揺動自在に取り付けられている。クリップ５は、円弧部８がろう孔の縁部をカバーし、ストッパー９がろう孔癒着部を把持する。
【００２１】
上記作動片６は、軟質プラスチック材料の積層フィルムをテープ状に裁断したものであり、一端を案内片４の先端部に揺動自在に取り付けたクリップ５の一方のストッパー９に結合されている。作動片６の他端は、案内片４の基端部より外方に延びて把持部１０を形成している。
【００２２】
上記外筒体３は、硬質プラスチック材料から形成された外径が６．５ｍｍ程度の円筒体であり、外面に基端部から長手方向中間部まで延びるスリット１１を有する。外筒体３のスリット１１より先端側の内面に反射面１２が形成されている。
【００２３】
また、上記胃ろうカテーテル案内装置２の案内片４の円弧部８に近い部位には、図示しない胃ろうカテーテルが挿通される弾性リングを形成するための弾性部材１３が設けられている。
【００２４】
本発明による胃ろうカテーテル導入装置１は、図１および図２に示すように、胃ろうカテーテル案内装置２をクリップ５を先端として外筒体３の内部に内装することで組み立てられる。
【００２５】
つぎに、本発明による胃ろうカテーテル導入装置１の作用を図３により説明する。
【００２６】
図３（ａ）は、カテーテルの交換のために、図示しないこバンパー式カテーテルを患者の腹壁２０および胃壁２１に形成されたろう孔２２から抜き取った状態を示す図である。
【００２７】
図３（ｂ）は、胃ろうカテーテル導入装置１を患者の腹壁２０および胃壁２１に形成されたろう孔２２を通して先端部を胃の内部に挿入した状態を示す図である。この段階では、胃ろうカテーテル導入装置１の胃ろうカテーテル案内装置２は外筒体３の内部に収納されている。
【００２８】
図３（ｃ）は、カテーテル導入装置１の胃ろうカテーテル案内装置２を外筒体３に対して押し下げ、胃ろうカテーテル案内装置２のクリップ５を胃の内部に展開するように位置させた状態を示す図である。この段階において、胃ろうカテーテル案内装置２の作動片６の把持部１０を手でもって作動片６の上方に引っ張ることで、胃ろうカテーテル案内装置２のクリップ５は、外筒体３の先端面に係合しながら案内片４に対して揺動する。これにより、胃ろうカテーテル案内装置２の案内片４とクリップ５は略Ｔ形を呈する。ついで、胃ろうカテーテル導入装置１全体を引き上げることで、胃ろうカテーテル案内装置２のクリップ５が胃壁２１の内面のろう孔２２に近いろう孔癒着部を係止し、ろう孔２２の部分が持ち上がり、ろう孔２２の長さが短くなる。
【００２９】
胃ろうカテーテル導入装置１が図３（ｃ）に示す位置を保持する間に、図示しない光源から発する光を外筒体３の基端側から外筒体３の内部に導入すると、外筒体３の内部に導入された光は、外筒体３の内面１２および案内片４の内面７は反射面となっているので、外筒体３および案内片４に沿って反射面で反射されながら、胃の内部まで案内される。このように、光を胃の内部に導くことで、カテーテルを挿入する胃の内部を観察することができる。
【００３０】
図３（ｄ）は、図３（ｃ）に示す位置の胃ろうカテーテル導入装置１から胃ろうカテーテル案内装置２を残して外筒体３を引き抜いた状態を示す図である。
【００３１】
この段階でも、図示しない光源から発する光を案内片４に沿って導入すると、案内片４の内面７の反射によって、光が胃の内部まで案内され、さらに視野の良い状態で胃の内部を観察することができる。
【００３２】
胃ろうカテーテル案内装置２が、光を胃の内部に導くことにより胃の内部に導入されたことを確認したら、胃ろうカテーテル案内装置２を引き上げ気味にして、新しいバンパー式カテーテルのバンパー部をオブチュレーターで進展させながら胃ろうカテーテル案内装置２の案内片４に沿って案内し、バンパー部をろう孔２２に通す。この際、バンパー部挿入時にろう孔２２の加えられる衝撃を胃ろうカテーテル案内装置２の案内片４およびクリップ５の円弧部８が緩和することで、バンパー部をろう孔２２に挿入する時のろう孔２２の破壊を防ぐことができる。
【００３３】
バンパー式カテーテルのバンパー部が胃の内部に確実に挿入されたことを確認したら、オブチュレーターを引き抜き、これに続いて、胃ろうカテーテル案内装置２を押し下げながら作動片６を引く。これにより、胃ろうカテーテル案内装置２のクリップ５が胃壁２１の内面から外れるので、カテーテル案内装置２を体外に引き出すことができる。
【００３４】
また、カテーテル案内装置２を体外に引き出した際に、バンパー式カテーテルのカテーテル部が案内片４の円弧部８に近い部位に形成された弾性リング１３に挿通していることを確認することで、バンパー式カテーテルのバンパー部が胃の内部に位置していることを再確認することができる。
【００３５】
なお、上記実施の形態では、バンパー式カテーテルを例にして説明したが、ボタン式カテーテルであっても同様な作用効果を奏することは明らかである。
【図面の簡単な説明】
【００３６】
【図１】本発明による胃ろうカテーテル交換のための胃ろうカテーテル導入装置を示す斜視図である。
【図２】本発明による胃ろうカテーテル交換のための胃ろうカテーテル導入装置の分解斜視図である。
【図３】本発明による胃ろうカテーテル交換のための胃ろうカテーテル導入装置の作用を示す図である。
【符号の説明】
【００３７】
１  胃ろうカテーテル導入装置
２  胃ろうカテーテル案内装置
３  外筒体
４  案内片
５  クリップ
６  作動片
８  円弧部
９  ストッパー
【図１】
2006239068.tif 000003
【図２】
2006239068.tif 000004
【図３】
2006239068.tif 000005